(57)【特許請求の範囲】
【請求項１】
制御部からのＰＷＭ調光信号に基づいて、入力電圧から出力電圧を生成し、前記出力電圧を少なくとも１つの発光素子に供給するための発光素子駆動回路であって、
前記入力電圧の印加端と接地端との間に設けられる第１トランジスタと、
前記第１トランジスタの第１駆動制御信号を生成する第１ドライバと、
前記第１ドライバを駆動するドライバ制御部と、
を備え、
前記ドライバ制御部は、
前記制御部の異常を示す信号が入力されない場合に前記ＰＷＭ調光信号を選択して出力し前記制御部の異常を示す信号が入力された場合に定電圧を選択して出力する選択部を備え、
前記選択部が前記ＰＷＭ調光信号のハイレベル又は前記定電圧を出力しているときには前記少なくとも一つの発光素子を流れる電流に応じた帰還電圧に応じて前記第１ドライバを駆動し、
前記選択部が前記ＰＷＭ調光信号のローレベルを出力しているときには前記出力電圧の生成動作を停止するように前記第１ドライバを駆動する、発光素子駆動回路。
【請求項２】
前記帰還電圧を生成するアンプをさらに備える、請求項１に記載の発光素子駆動回路。
【請求項３】
前記第１トランジスタと前記接地端との間に設けられる第２トランジスタと、
前記第２トランジスタの第２駆動制御信号を生成する第２ドライバと、をさらに備える、請求項１または請求項２に記載の発光素子駆動回路。
【請求項４】
請求項１〜請求項３のいずれか一項に記載の発光素子駆動回路と、
前記発光素子駆動回路によって駆動される少なくとも一つの発光素子と、を備える、発光装置。
【請求項５】
前記発光素子駆動回路に前記ＰＷＭ調光信号を供給する制御部をさらに備える、請求項４に記載の発光装置。
【請求項６】
前記制御部を監視し、前記制御部の異常を検出した場合に前記制御部の異常を示す信号を前記発光素子駆動回路に送信する監視部をさらに備える、請求項４または請求項５に記載の発光装置。
【請求項７】
車載ランプとして用いられる、請求項４〜６のいずれか一項に記載の発光装置。
【請求項８】
請求項７に記載の発光装置を備える、車両。
【発明の詳細な説明】
【技術分野】
【０００１】
本発明は、発光素子を駆動する発光素子駆動装置、並びに、これを用いた発光装置及び車両に関する。
【背景技術】
【０００２】
図１６は、発光装置の一従来例を示す図である。本従来例の発光装置は、少なくとも一つの発光素子（図１６では発光ダイオード）Ｚ１と、発光素子Ｚ１を駆動する発光素子駆動ＩＣ［integrated circuit］１００と、発光素子駆動ＩＣ１００から発光素子Ｚ１への給電経路に挿入されたＰチャネル型ＭＯＳ［metal oxide semiconductor］電界効果トランジスタＰ１と、発光素子駆動ＩＣ１００にＰＷＭ［pulse width modulation］調光信号Ｓ１を供給する制御ＩＣ２００と、制御ＩＣ２００に異常が発生していないかを監視する監視ＩＣ３００と、を有する。
【０００３】
発光素子駆動ＩＣ１００は、入力電圧Ｖｉから一定の出力電圧Ｖｏを生成して発光素子Ｚ１に供給する出力電圧生成部１０１と、制御ＩＣ２００から出力されるＰＷＭ調光信号Ｓ１に基づいてトラ ンジスタＰ１のオン／オフ制御を行うことで発光素子Ｚ１に流れる出力電流Ｉｏのデューティ制御（発光素子Ｚ１の輝度制御）を行う出力電流制御部１０２と、を集積化した半導体集積回路装置である。発光素子Ｚ１の輝度を上げる場合には、ＰＷＭ調光信号Ｓ１のオンデューティ（図１７に示す周期Ｔに占めるオン期間Ｔｏｎの比率）が大きい値に設定され、逆に、発光素子Ｚ１の輝度を下げる場合には、ＰＷＭ調光信号Ｓ１のオンデューティが小さい値に設定される。発光素子駆動ＩＣ１００は外部端子Ｔ１１〜Ｔ１４も有しており、外部端子Ｔ１１には入力電圧Ｖｉが印加され、外部端子Ｔ１２からは出力電圧Ｖｏが出力され、外部端子Ｔ１３にはＰＷＭ調光信号Ｓ１が供給され、外部端子Ｔ１４からはトランジスタＰ１のオン／オフ制御するためのゲート制御信号が出力される。
【０００４】
制御ＩＣ２００は、クロック信号Ｓ２を生成するクロック回路２０１と、クロック信号Ｓ２に基づいてＰＷＭ調光信号Ｓ１を生成するＰＷＭ回路２０２と、を集積化した半導体集積回路装置である。制御ＩＣ２００は外部端子Ｔ２１〜Ｔ２３も有しており、外部端子Ｔ２１からはＰＷＭ調光信号Ｓ１が出力され、外部端子Ｔ２２からはクロック信号Ｓ２が出力され、外部端子Ｔ２３には監視結果信号Ｓ３が供給される。制御ＩＣ２００が監視結果信号Ｓ３をどのように利用するかは特に限定されないが、例えば、監視結果信号Ｓ３が制御ＩＣ２００の異常を示す状態であるときに安全性を向上させるために制御ＩＣ２００の動作を完全に停止することが考えられる。
【０００５】
監視ＩＣ３００は外部端子Ｔ３１及びＴ３２を有し、外部端子Ｔ３１に供給されるクロック信号Ｓ２に基づいて制御ＩＣ２００が異常であるか否かを判定し、その判定結果を監視結果信号Ｓ３として外部端子Ｔ３２から出力する。本例では、制御ＩＣ２００が異常でない場合は監視結果信号Ｓ３がハイレベルとなり、制御ＩＣ２００が異常である場合は監視結果信号Ｓ３がローレベルとなる。すなわち、ローレベルの監視結果信号Ｓ３が制御ＩＣ２００の異常を示す信号となっている。
【０００６】
なお、図１６では、監視結果信号Ｓ３は制御ＩＣ２００にのみ供給されているが、これに限定されることはなく、例えば制御ＩＣ２００の代わりに又は制御ＩＣ２００に加えて図１６に示す発光装置を搭載する機器全体を制御する制御部に監視結果信号Ｓ３が供給されることもある。また、図１６では、監視ＩＣ３００が制御ＩＣ２００の異常を監視するだけであるが、制御ＩＣ２００及び監視ＩＣ３００それぞれが互いの異常を監視し合うような構成にしてもよい。
【先行技術文献】
【特許文献】
【０００７】
【特許文献１】特開２０１３−２１７２１３号公報
【特許文献２】特開２００７−２１８１９６号公報
【発明の概要】
【発明が解決しようとする課題】
【０００８】
図１６に示す発光装置の用途として、例えば車両に設けられるライトへの適用が考えられる。
【０００９】
ところで車両においては、故障が生じて通常の走行ができなくなった場合でも安全な場所まで移動できるように短距離の移動を可能とするリンプホーム機能を有していることが望ましい。例えば、特許文献１には車両のコモンレール式燃料噴射制御装置に関するリンプホーム機能が開示されており、特許文献２には車両のＤＰＦ［diesel particulate filter］に関するリンプホーム機能が開示されている。
【００１０】
しかしながら、図１６に示す発光装置は、制御ＩＣ２００に異常が生じてクロック信号Ｓ２が生成されなくなった場合（図１７の時刻ｔ１以降）、ＰＷＭ調光信号Ｓ１のパルスが発生せず（図１７に示すＰＷＭ調光信号Ｓ１の破線参照）、ＰＷＭ調光信号Ｓ１のオンデューティが零になり、出力電流Ｉｏが零になる。つまり、図１６に示す発光装置を適用した車両のライトに関しては夜間走行等におけるリンプホーム機能を実現することができなかった。
【００１１】
本発明は、上記の状況に鑑み、制御部が正常な場合は制御部からの制御信号に基づいて動作し、制御部が異常な場合は制御部からの制御信号にかかわらず発光素子を点灯させる発光素子駆動装置、並びに、これを用いた発光装置及び車両を提供することを目的とする。
【課題を解決するための手段】
【００１２】
上記目的を達成するために、本発明に係る発光素子駆動装置は、制御部からの制御信号に基づいて、入力電圧から出力電圧を生成して前記出力電圧を少なくとも一つの発光素子に供給する出力電圧供給部と、前記制御部の異常を示す信号を受信した場合は前記制御部からの前記制御信号にかかわらず前記少なくとも一つの発光素子の全部又は一部を点灯させる非常駆動部と、を有する構成（第１の構成）とされている。
【００１３】
なお、上記第１の構成から成る発光素子駆動装置において、前記非常駆動部が前記少なくとも一つの発光素子の全部又は一部に出力する電流の値は前記出力電圧供給部が前記少なくとも一つの発光素子に出力する電流の値よりも小さい構成（第２の構成）にするとよい。
【００１４】
また、上記第１または第２の構成から成る発光素子駆動装置において、前記出力電圧供給部及び前記非常駆動部は、前記入力電圧の印加端と接地端との間に直列接続され、互いの接続ノードがコイルを介して出力コンデンサに接続される上側トランジスタ及び下側トランジスタと、前記上側トランジスタ及び前記下側トランジスタの各駆動制御信号を生成する上側ドライバ及び下側ドライバと、前記少なくとも一つの発光素子を流れる電流に応じた帰還電圧を生成するアンプと、前記帰還電圧に応じて前記上側トランジスタ及び前記下側トランジスタをオン／オフするように前記上側ドライバ及び前記下側ドライバを駆動するドライバ制御部と、を共用し、前記上側トランジスタ及び前記下側トランジスタと、前記上側ドライバ及び前記下側ドライバと、前記アンプと、前記ドライバ制御部と、はいずれも同一の半導体装置に集積化されている構成（第３の構成）にするとよい。
【００１５】
また、上記第３の構成から成る発光素子駆動装置において、前記非常駆動部は、前記制御部の異常を示す信号を受信しない場合に前記制御信号を選択して出力し、前記制御部の異常を示す信号を受信した場合に定電圧を選択して出力する選択部を有し、前記ドライバ制御部は、前記選択部の出力に応じて前記上側ドライバ及び前記下側ドライバの駆動と駆動停止とを切り替える構成（第４の構成）にするとよい。
【００１６】
また、上記第４の構成から成る発光素子駆動装置において、前記選択部は前記同一の半導体装置に集積化されている構成（第５の構成）にするとよい。
【００１７】
また、本発明に係る発光装置は、上記第１〜第５いずれかの構成から成る発光素子駆動装置と、前記発光素子駆動装置によって駆動される少なくとも一つの発光素子と、前記発光素子駆動装置に制御信号を供給する制御部と、前記制御部を監視し、前記制御部の異常を検出した場合に前記制御部の異常を示す信号を前記発光素子駆動装置に送信する監視部と、を有する構成（第６の構成）とされている。
【００１８】
なお、上記第６の構成から成る発光装置において、前記発光素子は、発光ダイオード、または、有機ＥＬ素子である構成（第７の構成）にするとよい。
【００１９】
また、上記第７の構成から成る発光装置は、車載ランプとして用いられる構成（第８の構成）にするとよい。
【００２０】
また、上記第８の構成から成る発光装置は、ヘッドライトモジュール、ターンランプモジュール、または、リアランプモジュールとして車両に装着される構成（第９の構成）にするとよい。
【００２１】
また、本発明に係る車両は、上記第８または第９の構成から成る発光装置を有する構成（第１０の構成）とされている。
【００２２】
また、上記第１０の構成から成る車両において、前記発光装置は、ヘッドライト、白昼夜走行用光源、テールランプ、ストップランプ、及び、ターンランプの少なくとも一つとして用いられる構成（第１１の構成）にするとよい。
【発明の効果】
【００２３】
本発明によれば、制御部が正常な場合は制御部からの制御信号に基づいて動作し、制御部が異常な場合は制御部からの制御信号にかかわらず発光素子を点灯させる発光素子駆動装置、並びに、これを用いた発光装置及び車両を提供することができる。
【図面の簡単な説明】
【００２４】
【図１】第１実施形態の発光装置を示す図
【図２】第１及び第３実施形態の発光装置の動作例を説明するためのタイムチャート
【図３】第２実施形態の発光装置を示す図
【図４】第２及び第４実施形態の発光装置の動作例を説明するためのタイムチャート
【図５】第３実施形態の発光装置を示す図
【図６】第４実施形態の発光装置を示す図
【図７】第５実施形態の発光装置を示す図
【図８】第５実施形態の発光装置の動作例を説明するためのタイムチャート
【図９】第６実施形態の発光装置を示す図
【図１０】第６実施形態の発光装置の動作例を説明するためのタイムチャート
【図１１】発光装置が搭載される車両の外観図（前面）
【図１２】発光装置が搭載される車両の外観図（背面）
【図１３】ＬＥＤヘッドライトモジュールの外観図
【図１４】ＬＥＤターンランプモジュールの外観図
【図１５】ＬＥＤリアランプモジュールの外観図
【図１６】発光装置の一従来例を示す図
【図１７】従来例の発光装置の動作例を説明するためのタイムチャート
【発明を実施するための形態】
【００２５】
＜第１実施形態＞
図１は第１実施形態の発光装置を示す図である。なお、図１において図１６と同一の部分には同一の符号を付し詳細な説明を省略する。
【００２６】
図１に示す発光装置は、少なくとも一つの発光素子（図１では発光ダイオード）Ｚ１と、発光素子Ｚ１を駆動する発光素子駆動ＩＣ１１０と、発光素子駆動ＩＣ１１０から発光素子Ｚ１への給電経路に挿入されたトランジスタＰ１と、発光素子駆動ＩＣ１１０にＰＷＭ調光信号Ｓ１を供給する制御ＩＣ２００と、制御ＩＣ２００に異常が発生していないかを監視する監視ＩＣ３００と、を有する。
【００２７】
発光素子駆動ＩＣ１１０は、図１６に示す発光素子駆動ＩＣ１００に、スイッチＳＷ１及び外部端子Ｔ１５を追加した構成である。外部端子Ｔ１５には監視結果信号Ｓ３が供給される。スイッチＳＷ１は、外部端子Ｔ１５に供給される監視結果信号Ｓ３に応じて動作する。具体的には、監視結果信号Ｓ３がハイレベルである場合、すなわち制御ＩＣ２００の異常を示す信号を受信しない場合、スイッチＳＷ１は、外部端子Ｔ１３に供給されるＰＷＭ調光信号Ｓ１を選択して出力電流制御部１０２に供給する。また、監視結果信号Ｓ３がローレベルである場合、すなわち制御ＩＣ２００の異常を示す信号を受信した場合、スイッチＳＷ１は、定電圧Ｖｒｅｇ（ＰＷＭ調光信号Ｓ１のハイレベルに相当する電圧）の印加端を選択して出力電流制御部１０２に供給する。
【００２８】
出力電流制御部１０２は、スイッチＳＷ１からハイレベルのＰＷＭ調光信号Ｓ１が供給されている場合にトランジスタＰ１をオンにし、スイッチＳＷ１からローレベルのＰＷＭ調光信号Ｓ１が供給されている場合にトランジスタＰ１をオフにし、スイッチＳＷ１から定電圧Ｖｒｅｇが供給されている場合にトランジスタＰ１をオンにする。したがって、出力電圧生成部１０１、出力電流制御部１０２、トランジスタＰ１、及びスイッチＳＷ１は、制御ＩＣ２００からのＰＷＭ調光信号Ｓ１に基づいて、入力電圧Ｖｉから出力電圧Ｖｏを生成して出力電圧Ｖｏを発光素子Ｚ１に供給する出力電圧供給部と、制御ＩＣ２００の異常を示す信号を受信した場合は制御ＩＣ２００からのＰＷＭ調光信号Ｓ１にかかわらず発光素子Ｚ１を点灯させる非常駆動部と、を兼ねている。
【００２９】
図２は、図１に示す発光装置の動作例を説明するためのタイムチャートであり、上から順に、クロック信号Ｓ２、監視結果信号Ｓ３、ＰＷＭ調光信号Ｓ１、及び、出力電流Ｉｏが描写されている。
【００３０】
制御ＩＣ２００に異常が生じてクロック信号Ｓ２が生成されなくなった場合（図２の時刻ｔ１以降）、ＰＷＭ調光信号Ｓ１のパルスが発生せず（図２に示すＰＷＭ調光信号Ｓ１の破線参照）、ＰＷＭ調光信号Ｓ１のオンデューティが零になる。しかしながら、制御ＩＣ２００に異常が生じてクロック信号Ｓ２が生成されなくなった場合（図２の時刻ｔ１以降）、監視結果信号Ｓ３がローレベルになり、上述した通りスイッチＳＷ１が定電圧Ｖｒｅｇを選択するため、オンデューティ１００％のＰＷＭ調光信号Ｓ１が出力電流制御部１０２に供給された場合と同様の出力電流Ｉｏが得られる。このように図１に示す発光装置は、制御ＩＣ２００が異常な場合に制御ＩＣ２００からのＰＷＭ調光信号Ｓ１にかかわらず発光素子Ｚ１を点灯させることができる。
【００３１】
＜第２実施形態＞
図３は第２実施形態の発光装置を示す図である。なお、図３において図１と同一の部分には同一の符号を付し詳細な説明を省略する。
【００３２】
図３に示す発光装置は、少なくとも一つの発光素子（図３では発光ダイオード）Ｚ１と、発光素子Ｚ１を駆動する発光素子駆動ＩＣ１２０と、発光素子駆動ＩＣ１２０から発光素子Ｚ１への給電経路に挿入されたトランジスタＰ１と、発光素子駆動ＩＣ１２０にＰＷＭ調光信号Ｓ１を供給する制御ＩＣ２００と、制御ＩＣ２００に異常が発生していないかを監視する監視ＩＣ３００と、を有する。
【００３３】
発光素子駆動ＩＣ１２０は、図１に示す発光素子駆動ＩＣ１１０において出力電圧生成部１０１を出力電圧生成部１０１’に置換した構成である。出力電圧生成部１０１’は、外部端子Ｔ１５に供給される監視結果信号Ｓ３に応じて出力電圧Ｖｏの設定値を可変する。具体的には、監視結果信号Ｓ３がハイレベルである場合、すなわち制御ＩＣ２００の異常を示す信号を受信しない場合、出力電圧生成部１０１’は、出力電圧Ｖｏの設定値を標準値とする。また、監視結果信号Ｓ３がローレベルである場合、すなわち制御ＩＣ２００の異常を示す信号を受信した場合、出力電圧生成部１０１’は、出力電圧Ｖｏの設定値を標準値よりも小さい値とする。これにより、出力電流Ｉｏの値も出力電圧Ｖｏの設定値が標準値であるときよりも小さくなる。
【００３４】
図４は、図３に示す発光装置の動作例を説明するためのタイムチャートであり、上から順に、クロック信号Ｓ２、監視結果信号Ｓ３、ＰＷＭ調光信号Ｓ１、及び、出力電流Ｉｏが描写されている。
【００３５】
制御ＩＣ２００に異常が生じてクロック信号Ｓ２が生成されなくなった場合（図４の時刻ｔ１以降）、ＰＷＭ調光信号Ｓ１のパルスが発生せず（図４に示すＰＷＭ調光信号Ｓ１の破線参照）、ＰＷＭ調光信号Ｓ１のオンデューティが零になる。しかしながら、制御ＩＣ２００に異常が生じてクロック信号Ｓ２が生成されなくなった場合（図４の時刻ｔ１以降）、監視結果信号Ｓ３がローレベルになり、上述した通りスイッチＳＷ１が定電圧Ｖｒｅｇを選択し、且つ、出力電圧生成部１０１’が出力電圧Ｖｏの設定値を標準値よりも小さい値とするため、制御ＩＣ２００に異常が生じていない場合に比べて小さな値の出力電流Ｉｏが継続して得られる。このように図３に示す発光装置は、制御ＩＣ２００が異常な場合に制御ＩＣ２００からのＰＷＭ調光信号Ｓ１にかかわらず発光素子Ｚ１を点灯させることができる。
【００３６】
さらに、図３に示す発光装置は、制御ＩＣ２００に異常が生じた場合の出力電流Ｉｏの値を、制御ＩＣ２００に異常が生じていない場合の出力電流Ｉｏの値よりも小さくすることができる。
【００３７】
制御ＩＣ２００に異常が生じた場合には入力電圧Ｖｉを生成する電源の電力が枯渇し易い状況であるおそれがある。しかしながら、上記の通り図３に示す発光装置は、制御ＩＣ２００に異常が生じた場合の出力電流Ｉｏの値を小さくしているので、制御ＩＣ２００に異常が生じた場合の図３に示す発光装置における消費電力の低減を図ることができる。これにより、制御ＩＣ２００に異常が生じた場合に入力電圧Ｖｉを生成する電源の電力が枯渇することを抑制できる。
【００３８】
また、制御ＩＣ２００に異常が生じた場合、出力電流Ｉｏが絶え間なく発光素子Ｚ１に供給されるので、発光素子Ｚ１の仕様によっては発光素子Ｚ１が破損するおそれがある。しかしながら、上記の通り図３に示す発光装置は、制御ＩＣ２００に異常が生じた場合の出力電流Ｉｏの値を小さくしているので、発光素子Ｚ１の破損を抑制できる。
【００３９】
＜第３実施形態＞
図５は第３実施形態の発光装置を示す図である。なお、図５において図１６と同一の部分には同一の符号を付し詳細な説明を省略する。
【００４０】
図５に示す発光装置は、少なくとも一つの発光素子（図５では発光ダイオード）Ｚ１と、発光素子Ｚ１を駆動する発光素子駆動ＩＣ１３０と、コイルＬ１と、出力コンデンサＣ１と、センス抵抗Ｒｓと、コンデンサＣ２と、発光素子駆動ＩＣ１３０にＰＷＭ調光信号Ｓ１を供給する制御ＩＣ２００と、制御ＩＣ２００に異常が発生していないかを監視する監視ＩＣ３００と、を有する。
【００４１】
発光素子駆動ＩＣ１３０は、Ｎチャネル型ＭＯＳ電界効果トランジスタ１Ｈ及び１Ｌ（以下では、上側トランジスタ１Ｈ及び下側トランジスタ１Ｌと呼ぶ）と、上側ドライバ２Ｈ及び下側ドライバ２Ｌと、ダイオードＤ１と、ドライバ制御部３と、アンプ４と、スイッチＳＷ１と、を集積化した半導体集積回路装置（いわゆるＬＥＤドライバＩＣ）である。また、発光素子駆動装置１３０は、外部との電気的な接続を確立するために外部端子Ｔ１〜Ｔ７を有する。
【００４２】
発光素子駆動ＩＣ１３０の外部において、外部端子Ｔ３は、入力電圧Ｖｉの印加端に接続されている。外部端子Ｔ１には、ＰＷＭ調光信号Ｓ１が供給される。外部端子Ｔ２は、コイルＬ１の第１端に接続されている。コイルＬ１の第２端（出力電圧Ｖｏの印加端）は、発光素子Ｚ１の第１端（アノード）に接続されている。発光素子Ｚ１の第２端（カソード）は、センス抵抗Ｒｓの第１端に接続されている。センス抵抗Ｒｓの第２端は、接地端に接続されている。出力コンデンサＣ１の第１端は、コイルＬ１の第２端に接続されている。出力コンデンサＣ１の第２端は、接地端に接続されている。外部端子Ｔ４は、接地端に接続されている。外部端子Ｔ５は、コンデンサＣ２を介してコイルＬ１の第１端に接続されている。外部端子Ｔ６は、センス抵抗Ｒｓの第１端に接続されている。外部端子Ｔ７には、監視結果信号Ｓ３が供給される。
【００４３】
発光素子駆動ＩＣ１３０の内部において、上側トランジスタ１Ｈのドレインは、外部端子Ｔ３に接続されている。上側トランジスタ１Ｈのソースは、外部端子Ｔ２に接続されている。上側トランジスタ１Ｈのゲートは、上側ドライバ２Ｈの出力端に接続されている。下側トランジスタ１Ｌのドレインは、外部端子Ｔ２に接続されている。下側トランジスタ１Ｌのソースは、外部端子Ｔ４に接続されている。下側トランジスタ１Ｌのゲートは、下側ドライバ２Ｌの出力端に接続されている。すなわち、上側トランジスタ１Ｈ及び下側トランジスタ１Ｌは、入力電圧Ｖｉの印加端と接地端との間に直列接続されており、互いの接続ノード（スイッチ電圧Ｖｓｗの印加端）がコイルＬ１を介して出力コンデンサＣ１に接続されている。
【００４４】
上側ドライバ２Ｈは、ドライバ制御部３からの指示に基づいて上側トランジスタ１Ｈの制御信号ＧＨを生成する。上側トランジスタ１Ｈは、制御信号ＧＨがハイレベルであるときにオンとなり、制御信号ＧＨがローレベルであるときにオフとなる。下側ドライバ２Ｌは、ドライバ制御部３からの指示に基づいて下側トランジスタ１Ｌの制御信号ＧＬを生成する。下側トランジスタ１Ｌは、制御信号ＧＬがハイレベルであるときにオンとなり、制御信号ＧＬがローレベルであるときにオフとなる。
【００４５】
ダイオードＤ１と、発光素子駆動ＩＣ１３０に外付けされるコンデンサＣ２とによってブートストラップ回路が構成される。当該ブートストラップ回路は、ブースト電圧Ｖｂｓｔを生成する。ダイオードＤ１のアノードは、定電圧Ｖｒｅｇの印加端に接続されている。ダイオードＤ１のカソードは、外部端子Ｔ５に接続されている。
【００４６】
上側ドライバ２Ｈの第１電源端及びドライバ制御部３の第１電源端は、外部端子Ｔ５（ブースト電圧Ｖｂｓｔの印加端）に接続されている。上側ドライバ２Ｈの第２電源端は、外部端子 Ｔ２（スイッチ電圧Ｖｓｗの印加端）に接続されている。従って、上側トランジスタ１Ｈのゲートに印加される制御信号ＧＨのハイレベルはブースト電圧Ｖｂｓｔとなり、制御信号ＧＨのローレベルはスイッチ電圧Ｖｓｗとなる。
【００４７】
下側ドライバ２Ｌの第１電源端は、定電圧Ｖｒｅｇの印加端に接続されている。下側ドライバ２Ｌの第２電源端は、外部端子Ｔ４（接地電圧ＧＮＤの印加端）に接続されている。従って、下側トランジスタ１Ｌのゲートに印加される制御信号ＧＬのハイレベルは定電圧Ｖｒｅｇとなり、制御信号ＧＬのローレベルは接地電圧ＧＮＤとなる。
【００４８】
上記構成から成るブートストラップ回路の動作について説明する。上側トランジスタ１Ｈがオフされて下側トランジスタ１Ｌがオンされることにより、スイッチ電圧Ｖｓｗがローレベル（ＧＮＤ）となっているときには、定電圧Ｖｒｅｇの印加端からダイオードＤ１を介してコンデンサＣ２に流れ込む電流によってコンデンサＣ２が充電される。このとき、ブースト電圧Ｖｂｓｔは、ほぼ定電圧Ｖｒｅｇ（より正確には、定電圧ＶｒｅｇからダイオードＤ１の順方向降下電圧Ｖｆを差し引いた値（Ｖｒｅｇ−Ｖｆ））となる。
【００４９】
一方、コンデンサＣ２が充電されている状態で、上側トランジスタ１Ｈがオンされ、下側トランジスタ１Ｌがオフされることにより、スイッチ電圧Ｖｓｗがローレベル（ＧＮＤ）からハイレベル（Ｖｉ）に立ち上げられると、ブースト電圧Ｖｂｓｔは、スイッチ電圧Ｖｓｗのハイベル（Ｖｉ）よりも更にコンデンサＣ２の充電電圧分（ほぼＶｒｅｇ）だけ高い値（Ｖｉ＋Ｖｒｅｇ）に引き上げられる。このようなブースト電圧Ｖｂｓｔが上側ドライバ２Ｈの第１電源端に印加されることにより、上側トランジスタ１Ｈを確実にオン／オフ駆動することが可能となっている。
【００５０】
スイッチＳＷ１は、外部端子Ｔ７に供給される監視結果信号Ｓ３に応じて動作する。具体的には、監視結果信号Ｓ３がハイレベルである場合、すなわち制御ＩＣ２００の異常を示す信号を受信しない場合、スイッチＳＷ１は、外部端子Ｔ１に供給されるＰＷＭ調光信号Ｓ１を選択してドライバ制御部３に供給する。また、監視結果信号Ｓ３がローレベルである場合、すなわち制御ＩＣ２００の異常を示す信号を受信した場合、スイッチＳＷ１は、定電圧Ｖｒｅｇ（ＰＷＭ調光信号Ｓ１のハイレベルに相当する電圧）の印加端を選択してドライバ制御部３に供給する。
【００５１】
ドライバ制御部３は、スイッチＳＷ１からハイレベルのＰＷＭ調光信号Ｓ１が供給されている場合には帰還電圧Ｖｆｂに応じて上側トランジスタ１Ｈ及び下側トランジスタ１Ｌをオン／オフするように上側ドライバ２Ｈ及び下側ドライバ２Ｌを駆動する。また、ドライバ制御部３は、スイッチＳＷ１から定電圧Ｖｒｅｇが供給されている場合にも帰還電圧Ｖｆｂに応じて上側トランジスタ１Ｈ及び下側トランジスタ１Ｌをオン／オフするように上側ドライバ２Ｈ及び下側ドライバ２Ｌを駆動する。一方、ドライバ制御部３は、スイッチＳＷ１からローレベルのＰＷＭ調光信号Ｓ１が供給されている場合において、出力電圧Ｖｏの生成動作を停止するように上側ドライバ２Ｈ及び下側ドライバ２Ｌを駆動する。
【００５２】
アンプ４は、非反転入力端（＋）と反転入力端（−）との間に印加されるセンス抵抗Ｒｓの両端電圧を増幅して帰還電圧Ｖｆｂを生成する。従って、帰還電圧Ｖｆｂは、センス抵抗Ｒｓに流れる出力電流Ｉｏに応じて増減する電圧信号となる。
【００５３】
上記した上側トランジスタ１Ｈ、下側トランジスタ１Ｌ、上側ドライバ２Ｈ、下側ドライバ２Ｌ、ドライバ制御部３、及び、アンプ４は、ＰＷＭ調光信号Ｓ１のオン期間（ハイレベル期間）には発光素子Ｚ１に流れる出力電流Ｉｏが目標値と一致するように入力電圧Ｖｉから出力電圧Ｖｏを生成し、ＰＷＭ調光信号Ｓ１のオフ期間には出力電圧Ｖｏの生成動作を停止する。
【００５４】
上記した発光素子駆動ＩＣ１３０、コイルＬ１、出力コンデンサＣ１、センス抵抗Ｒｓ、及びコンデンサＣ２は、制御ＩＣ２００からのＰＷＭ調光信号Ｓ１に基づいて、入力電圧Ｖｉから出力電圧Ｖｏを生成して出力電圧Ｖｏを発光素子Ｚ１に供給する出力電圧供給部と、制御ＩＣ２００の異常を示す信号を受信した場合は制御ＩＣ２００からのＰＷＭ調光信号Ｓ１にかかわらず発光素子Ｚ１を点灯させる非常駆動部と、を兼ねている。
【００５５】
図５に示す発光装置の動作例を説明するためのタイムチャートは、図１に示す発光装置の動作例を説明するためのタイムチャートと同一（図２）であるため、ここでは説明を省略する。
【００５６】
＜第４実施形態＞
図６は第４実施形態の発光装置を示す図である。なお、図６において図５と同一の部分には同一の符号を付し詳細な説明を省略する。
【００５７】
図６に示す発光装置は、少なくとも一つの発光素子（図６では発光ダイオード）Ｚ１と、発光素子Ｚ１を駆動する発光素子駆動ＩＣ１３０と、コイルＬ１と、出力コンデンサＣ１と、センス抵抗Ｒｓ及びＲｓ'と、スイッチＳＷ２と、コンデンサＣ２と、発光素子駆動ＩＣ１３０にＰＷＭ調光信号Ｓ１を供給する制御ＩＣ２００と、制御ＩＣ２００に異常が発生していないかを監視する監視ＩＣ３００と、を有する。
【００５８】
センス抵抗Ｒｓ'は接地端とセンス抵抗Ｒｓの第２端との間に挿入され、センス抵抗Ｒｓ'に対してスイッチＳＷ２が並列接続されている。スイッチＳＷ２は、監視結果信号Ｓ３に応じて動作する。具体的には、監視結果信号Ｓ３がハイレベルである場合、すなわちスイッチＳＷ２が制御ＩＣ２００の異常を示す信号を受信しない場合、スイッチＳＷ２はオンになり、センス抵抗Ｒｓ'の両端を短絡する。また、監視結果信号Ｓ３がローレベルである場合、すなわちスイッチＳＷ２が制御ＩＣ２００の異常を示す信号を受信した場合、スイッチＳＷ２はオフになり、センス抵抗Ｒｓ'の両端を短絡しない。これにより、スイッチＳＷ２が制御ＩＣ２００の異常を示す信号を受信した場合は、スイッチＳＷ２が制御ＩＣ２００の異常を示す信号を受信しない場合よりも、出力電流Ｉｏに対する帰還電圧Ｖｆｂのゲインが大きくなり、その結果、出力電流Ｉｏの値が小さくなる。
【００５９】
図６に示す発光装置の動作例を説明するためのタイムチャートは、図３に示す発光装置の動作例を説明するためのタイムチャートと同一（図４）であるため、ここでは説明を省略する。
【００６０】
＜第５実施形態＞
図７は第５実施形態の発光装置を示す図である。なお、図７において図５と同一の部分には同一の符号を付し詳細な説明を省略する。
【００６１】
図７に示す発光装置は、少なくとも一つの発光素子（図７では発光ダイオード）Ｚ１と、発光素子Ｚ１を駆動する発光素子駆動ＩＣ１４０と、コイルＬ１と、出力コンデンサＣ１と、センス抵抗Ｒｓと、コンデンサＣ２と、発光素子駆動ＩＣ１４０にＰＷＭ調光信号Ｓ１を供給する制御ＩＣ２００'と、制御ＩＣ２００'に異常が発生していないかを監視する監視ＩＣ３００と、を有する。
【００６２】
制御ＩＣ２００'は、図５に示す制御ＩＣ２００においてイネーブル回路２０３及び外部端子Ｔ２４を追加した構成である。イネーブル回路２０３は、クロック信号Ｓ２に基づいてイネーブル信号Ｓ４を生成する。外部端子Ｔ２４からはイネーブル信号Ｓ４が出力される。本例において、イネーブル信号Ｓ４は発光素子駆動ＩＣ１４０を有効にするために用いられる。ハイレベルのイネーブル信号Ｓ４は発光素子駆動ＩＣ１４０を有効にする信号であり、ローレベルのイネーブル信号Ｓ４は発光素子駆動ＩＣ１４０を無効にする信号（ディセーブル信号）である。
【００６３】
発光素子駆動ＩＣ１４０は、図５に示す発光素子駆動ＩＣ１３０においてドライバ制御部３をドライバ制御部３’に置換しスイッチＳＷ３及び外部端子Ｔ８を追加した構成である。外部端子Ｔ８にはイネーブル信号Ｓ４が供給される。スイッチＳＷ３は、外部端子Ｔ７に供給される監視結果信号Ｓ３に応じて動作する。具体的には、監視結果信号Ｓ３がハイレベルである場合、すなわち制御ＩＣ２００’の異常を示す信号を受信しない場合、スイッチＳＷ３は、外部端子Ｔ８に供給されるイネーブル信号Ｓ４を選択してドライバ制御部３’に供給する。また、監視結果信号Ｓ３がローレベルである場合、すなわち制御ＩＣ２００’の異常を示す信号を受信した場合、スイッチＳＷ３は、定電圧Ｖｒｅｇ（イネーブル信号Ｓ４のハイレベルに相当する電圧）の印加端を選択してドライバ制御部３’に供給する。
【００６４】
スイッチＳＷ１は、外部端子Ｔ７に供給される監視結果信号Ｓ３に応じて動作する。具体的には、監視結果信号Ｓ３がハイレベルである場合、すなわち制御ＩＣ２００’の異常を示す信号を受信しない場合、スイッチＳＷ１は、外部端子Ｔ１に供給されるＰＷＭ調光信号Ｓ１を選択してドライバ制御部３'に供給する。また、監視結果信号Ｓ３がローレベルである場合、すなわち制御ＩＣ２００’の異常を示す信号を受信した場合、スイッチＳＷ１は、定電圧Ｖｒｅｇ（ＰＷＭ調光信号Ｓ１のハイレベルに相当する電圧）の印加端を選択してドライバ制御部３'に供給する。
【００６５】
ドライバ制御部３'は、スイッチＳＷ２からハイレベルのイネーブル信号Ｓ４あるいは定電圧Ｖｒｅｇが供給されている場合に有効になり、スイッチＳＷ２からローレベルのイネーブル信号Ｓ４が供給されている場合に無効になる。
【００６６】
有効になっているドライバ制御部３'は、スイッチＳＷ１からハイレベルのＰＷＭ調光信号Ｓ１が供給されている場合には帰還電圧Ｖｆｂに応じて上側トランジスタ１Ｈ及び下側トランジスタ１Ｌをオン／オフするように上側ドライバ２Ｈ及び下側ドライバ２Ｌを駆動する。また、有効になっているドライバ制御部３'は、スイッチＳＷ１から定電圧Ｖｒｅｇが供給されている場合にも帰還電圧Ｖｆｂに応じて上側トランジスタ１Ｈ及び下側トランジスタ１Ｌをオン／オフするように上側ドライバ２Ｈ及び下側ドライバ２Ｌを駆動する。一方、有効になっているドライバ制御部３'は、スイッチＳＷ１からローレベルのＰＷＭ調光信号Ｓ１が供給されている場合において、出力電圧Ｖｏの生成動作を停止するように上側ドライバ２Ｈ及び下側ドライバ２Ｌを駆動する。
【００６７】
上記した発光素子駆動ＩＣ１４０、コイルＬ１、出力コンデンサＣ１、センス抵抗Ｒｓ、及びコンデンサＣ２は、制御ＩＣ２００'からのＰＷＭ調光信号Ｓ１及びイネーブル信号Ｓ４に基づいて、入力電圧Ｖｉから出力電圧Ｖｏを生成して出力電圧Ｖｏを発光素子Ｚ１に供給する出力電圧供給部と、制御ＩＣ２００'の異常を示す信号を受信した場合は制御ＩＣ２００'からのＰＷＭ調光信号Ｓ１及びイネーブル信号Ｓ４にかかわらず発光素子Ｚ１を点灯させる非常駆動部と、を兼ねている。
【００６８】
図８は、図７に示す発光装置の動作例を説明するためのタイムチャートであり、上から順に、クロック信号Ｓ２、監視結果信号Ｓ３、ＰＷＭ調光信号Ｓ１、イネーブル信号Ｓ４、及び、出力電流Ｉｏが描写されている。
【００６９】
制御ＩＣ２００'に異常が生じてクロック信号Ｓ２が生成されなくなった場合（図８の時刻ｔ１以降）、ＰＷＭ調光信号Ｓ１のパルスが発生せず（図８に示すＰＷＭ調光信号Ｓ１の破線参照）、ＰＷＭ調光信号Ｓ１のオンデューティが零になるとともに、イネーブル信号Ｓ４がローレベルに落ちる（図８に示すイネーブル信号Ｓ４の破線参照）。しかしながら、制御ＩＣ２００'に異常が生じてクロック信号Ｓ２が生成されなくなった場合（図８の時刻ｔ１以降）、監視結果信号Ｓ３がローレベルになり、上述した通りスイッチＳＷ１及びＳＷ３がそれぞれ定電圧Ｖｒｅｇを選択するため、オンデューティ１００％のＰＷＭ調光信号Ｓ１及びハイレベルのイネーブル信号Ｓ４がドライバ制御部３'に供給された場合と同様の出力電流Ｉｏが得られる。このように図７に示す発光装置は、制御ＩＣ２００'が異常な場合に制御ＩＣ２００'からのＰＷＭ調光信号Ｓ１及びイネーブル信号Ｓ４にかかわらず発光素子Ｚ１を点灯させることができる。
【００７０】
＜第６実施形態＞
図９は第６実施形態の発光装置を示す図である。なお、図９において図７と同一の部分には同一の符号を付し詳細な説明を省略する。
【００７１】
図９に示す発光装置は、複数の発光素子（図９では発光ダイオード）Ｚ１と、発光素子Ｚ１を駆動する発光素子駆動ＩＣ１５０と、コイルＬ１と、出力コンデンサＣ１と、センス抵抗Ｒｓと、コンデンサＣ２と、発光素子駆動ＩＣ１５０にＰＷＭ調光信号Ｓ１を供給し昇圧ＩＣ４００にイネーブル信号Ｓ４を供給する制御ＩＣ２００'と、制御ＩＣ２００'に異常が発生していないかを監視する監視ＩＣ３００と、入力電圧Ｖｉを昇圧し、その昇圧した電圧を発光素子駆動ＩＣ１５０に供給する昇圧ＩＣ４００と、を有する。複数の発光素子Ｚ１の総順方向電圧が入力電圧Ｖｉよりも高い場合、本例のように入力電圧Ｖｉを昇圧する昇圧回路（昇圧ＩＣ４００）が設けられる。例えば、入力電圧Ｖｉとして車両に設けられるバッテリの出力電圧を用いる場合、入力電圧Ｖｉは低電圧となるので、複数の発光素子Ｚ１の総順方向電圧が入力電圧Ｖｉよりも高くなり易い。
【００７２】
発光素子駆動ＩＣ１５０は、図７に示す発光素子駆動ＩＣ１４０からスイッチＳＷ１及びＳＷ３と、外部端子Ｔ７及びＴ８と、を取り除いた構成である。
【００７３】
本例において、イネーブル信号Ｓ４は昇圧ＩＣ４００を有効にするために用いられる。ハイレベルのイネーブル信号Ｓ４は昇圧ＩＣ４００を有効にする信号であり、ローレベルのイネーブル信号Ｓ４は昇圧ＩＣ４００を無効にする信号（ディセーブル信号）である。
【００７４】
昇圧ＩＣ４００は外部端子Ｔ４１〜Ｔ４３を有する。外部端子Ｔ４１には入力電圧Ｖｉが印加される。昇圧ＩＣ４００が有効である場合に、入力電圧Ｖｉを昇圧した電圧が外部端子Ｔ４２から出力され、発光素子駆動ＩＣ１５０の外部端子Ｔ３及びスイッチＳＷ４の第１端に供給される。スイッチＳＷ４の第２端は抵抗Ｒ１を介して、複数の発光素子Ｚ１の含まれる第１発光素子５のカソードと複数の発光素子Ｚ１の含まれる第２発光素子６のアノードとの接続点に接続される。スイッチＳＷ４は、監視結果信号Ｓ３に応じて動作する。具体的には、監視結果信号Ｓ３がハイレベルである場合、すなわちスイッチＳＷ４が制御ＩＣ２００'の異常を示す信号を受信しない場合、スイッチＳＷ４はオフになる。また、監視結果信号Ｓ３がローレベルである場合、すなわちスイッチＳＷ４が制御ＩＣ２００'の異常を示す信号を受信した場合、スイッチＳＷ４はオンになり、複数の発光素子Ｚ１の一部（上記した第２発光素子６及び第２発光素子６のカソード側に設けられる発光素子）が点灯する。スイッチＳＷ４を流れる電流Ｉｓｗ４は、抵抗Ｒ１によって制限される。これにより、複数の発光素子Ｚ１の一部（上記した第２発光素子６及び第２発光素子６のカソード側に設けられる発光素子）が電流Ｉｓｗ４によって破損することを防止することができる。
【００７５】
上記した昇圧ＩＣ４００、発光素子駆動ＩＣ１５０、コイルＬ１、出力コンデンサＣ１、センス抵抗Ｒｓ、及びコンデンサＣ２は、制御ＩＣ２００'からのＰＷＭ調光信号Ｓ１に基づいて、入力電圧Ｖｉから出力電圧Ｖｏを生成して出力電圧Ｖｏを発光素子Ｚ１に供給する出力電圧供給部である。また、上記した昇圧ＩＣ４００、スイッチＳＷ４、及び、抵抗Ｒ１は、制御ＩＣ２００'の異常を示す信号を受信した場合は制御ＩＣ２００'からのＰＷＭ調光信号Ｓ１にかかわらず複数の発光素子Ｚ１の一部を点灯させる非常駆動部である。したがって、出力電圧供給部と非常駆動部は昇圧ＩＣ４００を共用している。
【００７６】
図１０は、図９に示す発光装置の動作例を説明するためのタイムチャートであり、上から順に、クロック信号Ｓ２、監視結果信号Ｓ３、ＰＷＭ調光信号Ｓ１、イネーブル信号Ｓ４、出力電流Ｉｏ、及び、スイッチＳＷ４を流れる電流Ｉｓｗ４が描写されている。
【００７７】
制御ＩＣ２００'に異常が生じてクロック信号Ｓ２が生成されなくなった場合（図１０の時刻ｔ１以降）、ＰＷＭ調光信号Ｓ１のパルスが発生せず（図１０に示すＰＷＭ調光信号Ｓ１の破線参照）、ＰＷＭ調光信号Ｓ１のオンデューティが零になるとともに、イネーブル信号Ｓ４がローレベルに落ちる（図１０に示すイネーブル信号Ｓ４の破線参照）。しかしながら、制御ＩＣ２００'に異常が生じてクロック信号Ｓ２が生成されなくなった場合（図１０の時刻ｔ１以降）、監視結果信号Ｓ３がローレベルになり、上述した通りスイッチＳＷ４がオンになるため、発光素子Ｚ１の一部に電流Ｉｓｗ４が流れ、発光素子Ｚ１の一部が点灯する。このように図９に示す発光装置は、制御ＩＣ２００'が異常な場合に制御ＩＣ２００'からのＰＷＭ調光信号Ｓ１及びイネーブル信号Ｓ４にかかわらず発光素子Ｚ１を点灯させることができる。
【００７８】
＜用途＞
上記した各実施形態の発光装置は、例えば、図１１及び図１２で示す通り、車両Ｘ１０のヘッドライト（ハイビーム／ロービーム／スモールランプ／フォグランプなどを適宜含 む）Ｘ１１、白昼夜走行（ＤＲＬ）用光源Ｘ１２、テールランプ（スモールランプやバックランプなどを適宜含む）Ｘ１３、ストップランプＸ１４、及び、ターンランプＸ１５などとして好適に用いることができる。
【００７９】
なお、発光素子駆動ＩＣは、外付け部品（出力コンデンサＣ１、コンデンサＣ２、コイルＬ１、センス抵抗Ｒｓ等）および駆動対象となる発光素子Ｚ１と共にモジュール（図１３のＬＥＤヘッドライトモジュールＹ１０、図１４のＬＥＤターンランプモジュールＹ２０、及び、図１５のＬＥＤリアランプモジュールＹ３０など）として提供されるものであってもよいし、外付け部品（出力コンデンサＣ１、コンデンサＣ２、コイルＬ１、センス抵抗Ｒｓ等）および駆動対象となる発光素子Ｚ１とは独立に半製品であるＩＣ単体（発光素子駆動ＩＣ１１０〜１５０）として提供されるものであってもよい。
【００８０】
＜その他の変形例＞
なお、上記の実施形態では、発光素子として発光ダイオードを用いた構成を例に挙げて説明を行ったが、本発明の構成はこれに限定されるものではなく、例えば、発光素子として有機ＥＬ［electro-luminescence］素子を用いることも可能である。
【００８１】
また、本明細書中に開示されている種々の技術的特徴は、上記実施形態のほか、その技術的創作の主旨を逸脱しない範囲で種々の変更を加えることが可能である。例えば、バイポーラトランジスタとＭＯＳ電界効果トランジスタとの相互置換や、各種信号の論理レベル反転は任意である。また、例えば、第５実施形態や第６実施形態において調光機能を削除する変形を行うことも可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【符号の説明】
【００８２】
１Ｈ  Ｎチャネル型ＭＯＳ電界効果トランジスタ（上側トランジスタ）
１Ｌ  Ｎチャネル型ＭＯＳ電界効果トランジスタ（下側トランジスタ）
２Ｈ  上側ドライバ
２Ｌ  下側ドライバ
３  制御部
４  アンプ
５  第１発光素子
６  第２発光素子
１１０、１２０、１３０、１４０、１５０  発光素子駆動ＩＣ
１０１  出力電圧生成部
１０２  出力電流制御部
２００、２００’  制御ＩＣ
２０１  クロック回路
２０２  ＰＷＭ回路
２０３  イネーブル回路
３００  監視ＩＣ
４００  昇圧ＩＣ
Ｃ１  出力コンデンサ
Ｃ２  コンデンサ
Ｄ１  ダイオード
Ｌ１  コイル
Ｐ１  Ｐチャネル型ＭＯＳ電界効果トランジスタ
Ｒ１  抵抗
Ｒｓ、Ｒｓ’  センス抵抗
ＳＷ１〜ＳＷ４  スイッチ
Ｔ１〜Ｔ８、Ｔ１１〜Ｔ１５  外部端子
Ｔ２１〜Ｔ２４、Ｔ３１、Ｔ３２、Ｔ４１〜Ｔ４３  外部端子
Ｘ１０  車両
Ｘ１１  ヘッドライト
Ｘ１２  白昼夜走行（ＤＲＬ）用光源
Ｘ１３  テールランプ
Ｘ１４  ストップランプ
Ｘ１５  ターンランプ
Ｙ１０  ＬＥＤヘッドライトモジュール
Ｙ２０  ＬＥＤターンランプモジュール
Ｙ３０  ＬＥＤリアランプモジュール
Ｚ１  発光素子（発光ダイオード）
【図１】
0006571918.tif 000002
【図２】
0006571918.tif 000003
【図３】
0006571918.tif 000004
【図４】
0006571918.tif 000005
【図５】
0006571918.tif 000006
【図６】
0006571918.tif 000007
【図７】
0006571918.tif 000008
【図８】
0006571918.tif 000009
【図９】
0006571918.tif 000010
【図１０】
0006571918.tif 000011
【図１１】
0006571918.tif 000012
【図１２】
0006571918.tif 000013
【図１３】
0006571918.tif 000014
【図１４】
0006571918.tif 000015
【図１５】
0006571918.tif 000016
【図１６】
0006571918.tif 000017
【図１７】
0006571918.tif 000018